【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
無線通信を行う無線通信ユニットを内蔵する撮像装置であって、
前記撮像装置に入射した光を接眼光学系に導き、入射した光を前記接眼光学系に向けて反射させる反射面を有する光学部材と、
前記光学部材を覆う複数の外装部材と、
前記無線通信ユニットのアンテナ部が実装された基板を固定する基板固定部材と、を備え、
前記無線通信ユニットは、前記光学部材と前記外装部材との間に形成される空間に配置され、前記無線通信ユニットのグランド部が、前記無線通信ユニットが前記光学部材の前記反射面と実質的に平行に配置されるように前記アンテナ部と対向する位置で前記基板固定部材に接続され、前記基板固定部材は、前記光学部材を保持する部材に取り付けられて前記撮像装置のグランド部と電気的に接続されることを特徴とする撮像装置。
【請求項２】
前記外装部材にて前記無線通信ユニットのアンテナ部に対向する領域の電気抵抗率を、当該領域の周囲よりも相対的に高くしたことを特徴とする請求項１に記載の撮像装置。
【請求項３】
前記反射面と前記外装部材との間に形成される空間に前記無線通信ユニットが配置されることを特徴とする請求項１または２に記載の撮像装置。
【請求項４】
前記複数の外装部材のうちの第１外装部材は導電性の樹脂材料で成形された部材であり、第２外装部材は非導電性の樹脂材料で成形された部材であって、前記第１外装部材および第２外装部材は前記光学部材に形成した前記反射面の周辺で分割されており、
前記第２外装部材と前記光学部材の前記反射面と前記反射部材の保持部材との間に形成される空間に前記無線通信ユニットが配置されていることを特徴とする請求項３に記載の撮像装置。
【請求項５】
前記外装部材は非導電性の樹脂材料で成形された部材に導電性を有する表面処理が施されおり、前記光学部材に形成した前記反射面の周辺で分割される第１外装部材および第２外装部材を備え、
前記第２外装部材と前記光学部材の前記反射面と前記反射部材の保持部材との間に形成される空間に前記無線通信ユニットが配置され、前記第２外装部材にて前記無線通信ユニットのアンテナ部に対向する領域には、当該領域の周辺よりも電気抵抗率の高い表面処理が施されていることを特徴とする請求項３に記載の撮像装置。
【請求項６】
前記基板固定部材における前記アンテナ部の側の端面部は、該アンテナ部から離れて位置していることを特徴とする請求項１から５のいずれか１項に記載の撮像装置。
【請求項７】
前記光学部材を保持する保持部材を備え、
前記保持部材は導電性を有する部材であり、
前記保持部材は前記基板工程部材を支持する支持部を有し、
前記支持部は、前記無線通信ユニットのアンテナ部と対向する位置で前記基板固定部材と接続されていることを特徴とする請求項１から６のいずれか１項に記載の撮像装置。
【請求項８】
前記光学部材は、ペンタダハプリズムまたはペンタダハミラーであることを特徴とする請求項１から７のいずれか１項に記載の撮像装置。
【請求項９】
前記光学部材の上部に閃光ユニットを備えることを特徴とする請求項１から８のいずれか１項に記載の撮像装置。
【手続補正２】
【補正対象書類名】明細書
【補正対象項目名】０００５
【補正方法】変更
【補正の内容】
【０００５】
上記課題を解決するために、本発明に係る装置は、無線通信を行う無線通信ユニットを内蔵する撮像装置であって、前記撮像装置に入射した光を接眼光学系に導き、入射した光を前記接眼光学系に向けて反射させる反射面を有する光学部材と、前記光学部材を覆う複数の外装部材と、前記無線通信ユニットのアンテナ部が実装された基板を固定する基板固定部材と、を備え、前記無線通信ユニットは、前記光学部材と前記外装部材との間に形成される空間に配置され、前記無線通信ユニットのグランド部が、前記無線通信ユニットが前記光学部材の前記反射面と実質的に平行に配置されるように前記アンテナ部と対向する位置で前記基板固定部材に接続され、前記基板固定部材は、前記光学部材を保持する部材に取り付けられて前記撮像装置のグランド部と電気的に接続されることを特徴とする。
【手続補正３】
【補正対象書類名】明細書
【補正対象項目名】００１８
【補正方法】変更
【補正の内容】
【００１８】
次に、図１および図６を参照して、カメラボディ１００の外装構成について説明する。
カメラ動作に対して電磁波の影響を低減するために、外装部材に電磁遮蔽効果を持たせる方法が知られている。外装材料に金属材料、または金属繊維やカーボン繊維を混合した導電性樹脂材料を用いる方法と、非導電性の合成樹脂材料の表面に導電性被膜（導電塗装やイオンプレーティング等による被膜）を施す方法がある。
本実施形態では、第１外装部材である上面外装カバー１０１と第２外装部材である正面外装カバー１０２が、ペンタプリズム５１の第２反射面５１ｂの周辺で分割された構成を有する。無線基板４１は、前面側から見た場合、ほぼ基板全体が正面外装カバー１０２に覆われた状態である。よって、無線基板４１のアンテナ部４２が導電性材料で周囲を覆われて、無線通信用の電波を放射できないと、通信に支障を来たす状態となる。そのため、正面外装カバー１０２は電気抵抗率の高い材料で成形されている。例えば、上面外装カバー１０１と背面外装カバー１１１はカーボン繊維混合樹脂、つまりカーボン繊維を混合した樹脂材料で成形されている。一方、正面外装カバー１０２は上面外装カバー１０１や背面外装カバー１１１に比べて電気抵抗率の高いガラス繊維を混合した樹脂材料で成形されている。但し、これに限定されるものではなく、上面外装カバー１０１と背面外装カバー１１１を金属材料で形成してもよいし、ガラス繊維混合樹脂に導電性被膜を施した材料であってもよい。また、正面外装カバー１０２については、無線通信が可能な程度に電気抵抗率が高い材料であれば適用可能である。
【手続補正４】
【補正対象書類名】明細書
【補正対象項目名】００１９
【補正方法】変更
【補正の内容】
【００１９】
次に図６を参照して、正面外装カバー１０２の内面に形成する導電性被膜について説明する。図６は正面外装カバー１０２をカメラボディ１００の内側から見た状態を示す。以下、導電性被膜の形成範囲を説明する。表面処理により形成される導電性被膜については、導電性塗料やイオンプレーティングによる被膜、あるいはその他の導電性被膜でもよいが、本実施形態では導電性塗料を例にして説明する。
正面外装カバー１０２の内面には導電性被膜を形成した範囲と、領域３００（斜線部参照）に示すように、導電性の塗装膜または蒸着膜を形成していない領域がある。領域３００は、無線基板４１のアンテナ部４２と対向する領域およびその周辺域を含み、導電性塗装膜または蒸着膜が施されていない領域である。この領域３００は、アンテナ部４２に対向する面積よりも広い範囲となるように設定されている。正面外装カバー１０２の内面に導電塗装を施す場合、領域３００にはマスキング処理が行われ、導電性塗料が付着しないように処置される。よって、領域３００は無線通信可能な程度に電気抵抗率が高い領域となっている。また、正面外装カバー１０２の内面のうちで領域３００以外の範囲には、ほぼ全域に亘って導電塗装が施されるため、正面外装カバー１０２は電磁波の遮蔽機能を有する。
【手続補正５】
【補正対象書類名】明細書
【補正対象項目名】００２０
【補正方法】変更
【補正の内容】
【００２０】
正面外装カバー１０２の内面の複数個所に設けたビス留め部３０１ａ，３０１ｂは、上面外装カバー１０１と共にミラーボックス５３に締結固定される際に、上面外装カバー１０１と平面で密着する取り付け部である。複数のビス留め部３０１ａ，３０１ｂには導電塗装が施されているため、導電性樹脂で成形した上面外装カバー１０１と電気的に接続される。無線基板４１のアンテナ部４２は、ビス留め部３０１ａと３０１ｂとの間に挟まれた領域に配置され、アンテナ部４２の上側の周辺域は上面外装カバー１０１で覆われる。このため、アンテナ部４２は電気的に接続された外装部材で囲まれるが、正面外装カバー１０２のうち、アンテナ部４２に対向する領域３００は電気抵抗率が相対的に高い領域である。また、アンテナ部４２は接眼光学系の光軸１ａに対応する部分から離隔して、無線基板４１の右端寄りの位置に設けられている。よって、アンテナ部４２はレンズ着脱マウント６０（図２参照）からカメラの高さ方向において極力離れて位置する。無線基板４１のアンテナ部４２を導電部材であるレンズ着脱マウント６０から極力離して配置することができるので、送受信時の電波はレンズ着脱マウント６０の影響を受け難くなる。